(57)【要約】【課題】  コンピュータ支援ナビゲーションシステムにおいて整形外科インプラントを記録するためのシステムを提供する。【解決手段】  システムには異なるサイズの複数のインプラントが含まれる。インプラントとしては股関節ステム４６が考えられる。記録装置２０は、予め定められた相対的位置で各インプラントと係合する。記録装置２０は、また、コンピュータ支援ナビゲーションシステムにおいて記録可能な少なくとも一つの基準要素３４を含む。同じくコンピュータ支援ナビゲーションシステムにおいて記録可能な少なくとも一つの基準要素３４を有する第２の基準構造６４がインプラントに取り外し可能に取り付けられる。記録装置２０及び第２の基準構造６４に設けられた基準要素３４の相対的位置は、各インプラント毎に異なるので、ナビゲーションシステムはインプラントの公称サイズを決定することができる。【選択図】      図２
2004237101.tif 000002
【特許請求の範囲】
【請求項１】
コンピュータ支援ナビゲーションシステムにおいて整形外科インプラントを記録するシステムであって、該システムが、
異なるサイズの複数のインプラントと、
予め定められた第１の相対的位置において前記複数のインプラントの各々と係合可能な記録装置と、
各々が前記コンピュータ支援ナビゲーションシステムにおいて記録可能な少なくとも一つの基準要素を有する第１の基準構造及び第２の基準構造であって、該第１の基準構造が前記記録装置の予め定められた場所に配置され、該第２の基準構造が前記複数のインプラントの各々に取り外し可能に取り付けられるようになっている第１の基準構造及び第２の基準構造と、
を備え、前記第１の基準構造と前記第２の基準構造の相対的位置は、前記記録装置が前記予め定められた第１の相対的位置で前記インプラントのうちの選択された一つに係合し且つ前記第２の基準構造が前記インプラントのうちの選択された一つに取り付けられるとき、前記複数のインプラントの各々毎に異なっているシステム。
【請求項２】
前記第１の基準構造及び前記第２の基準構造の各々が非直線的に配置された少なくとも三つの基準要素を含む、請求項１に記載のシステム。
【請求項３】
前記第１の基準構造が、第１のパターンを形成する非直線的に配置された少なくとも三つの基準要素を含み、前記第２の基準構造が、第２のパターンを形成する非直線的に配置された少なくとも三つの基準要素を含み、前記第１のパターンと前記第２のパターンが区別可能である、請求項１に記載のシステム。
【請求項４】
前記複数のインプラントが、近位大腿骨に挿入するのに適するように構成された複数の股関節ステムを含む、請求項１に記載のシステム。
【請求項５】
前記第２の基準構造が操作器具の予め定められた位置に取り外し可能に取り付けられ、前記操作器具が前記複数のインプラントの各々に取り外し可能に取り付けられ得る取付部を有する、請求項１に記載のシステム。
【請求項６】
前記複数のインプラントが、近位大腿骨に挿入するのに適するように構成された複数の股関節ステムを含む、請求項５に記載のシステム。
【請求項７】
異なるサイズの複数の股関節ステムの各々が、幹部及び頸部を形成する概略Ｌ字形状の形態を有し、前記幹部が遠位端部及び近位端部を有し、前記股関節ステムの各々が前記操作器具に取り付け可能な取り付け接触面を含み、前記取り付け接触面が前記股関節ステムの前記近位端部の近傍に配置され、前記記録装置が、前記複数の股関節ステムのうちの第１の股関節ステム及び第２の股関節ステムの遠位端部を受容するための少なくとも一つの目盛り付き空間を形成し、前記第１の股関節ステム及び第２の股関節ステムが前記少なくとも一つの目盛り付き空間内で前記記録装置と係合し、前記第１の股関節ステム及び第２の股関節ステムの前記係合部が、それぞれ、前記第１の基準構造から第１の距離及び第２の距離に配置され、前記第１の距離及び第２の距離が等しくない、請求項６に記載のシステム。
【請求項８】
前記複数の股関節ステムの各々が、前記頸部に設けられた突起を含み、前記突起が共通の形態を有し、前記基準部材が、予め定められた第２の相対的位置で前記突起と係合するための係合部を含む、請求項７に記載のシステム。
【請求項９】
コンピュータ支援ナビゲーションシステムにおいて整形外科インプラントを記録するためのシステムであって、前記インプラントが骨に移植するのに適するように構成されており、該システムが、
各々が幹部軸線を規定する細長い幹部を有した異なるサイズの複数の整形外科インプラントと、
前記複数のインプラントの各々の前記幹部軸線に沿って予め定められた第１の相対的位置で前記複数のインプラントの各々の前記幹部と係合可能な記録装置と、
前記コンピュータ支援ナビゲーションシステムにおいて記録可能な少なくとも一つの基準要素を有し、前記記録装置の予め定められた場所に設けられる第１の基準構造と、
を備えるシステム。
【請求項１０】
前記第１の基準構造が非直線的に配置された少なくとも三つの基準要素を含む、請求項９に記載のシステム。
【請求項１１】
前記コンピュータ支援ナビゲーションシステムにおいて記録可能な少なくとも一つの基準要素を有し、前記複数のインプラントの各々に取り外し可能に取り付けられ得る第２の基準構造をさらに備える、請求項９に記載のシステム。
【請求項１２】
前記インプラントの各々が前記幹部軸線に対して所定の角度に延びる突起をさらに備え、前記記録装置が予め定められた第２の相対的位置で前記突起の各々と係合可能な係合部をさらに備え、前記幹部軸線に対する前記突起の回転方向の向きを決定することができる、請求項１１に記載のシステム。
【請求項１３】
前記複数のインプラントが近位大腿骨に挿入するのに適するように構成された複数の股関節ステムを含む、請求項１２に記載のシステム。
【請求項１４】
前記記録装置が前記幹部と係合するための少なくとも一つの目盛り付き空間を備える、請求項９に記載のシステム。
【請求項１５】
前記記録装置が、前記複数のインプラントの前記幹部に係合するための異なるサイズの複数の目盛り付き空間を備える、請求項９に記載のシステム。
【請求項１６】
前記システムが前記コンピュータ支援ナビゲーションシステムにおいて記録可能な少なくとも一つの基準要素を有した第２の基準構造をさらに備え、該第２の基準構造が操作器具の予め定められた場所に取り外し可能に取り付けられ、前記操作器具が前記複数のインプラントの各々に取り外し可能に取り付けられ得る取付部を有する、請求項９に記載のシステム。
【請求項１７】
コンピュータ支援ナビゲーションシステムにおいて整形外科インプラントを記録するための方法であって、該方法が、
幹部軸線を規定し且つ遠位端部及び近位端部を有する幹部であって該遠位端部が前記近位端部よりも断面積が小さくなっている幹部を有するインプラントを提供するステップと、
前記コンピュータ支援ナビゲーションシステムにおいて記録可能な少なくとも一つの基準要素を含んだ第１の基準構造を有し且つ予め定められた軸線方向の場所で前記幹部と係合可能である記録装置を提供するステップと、
前記コンピュータ支援ナビゲーションシステムにおいて記録可能な少なくとも一つの基準要素を含んだ第２の基準構造が取り付けられている操作器具を前記インプラントに取り付けるステップと、
前記インプラントを前記操作器具に取り付けた状態で予め定められた軸線方向の場所で前記記録装置を前記インプラントと係合させ、前記コンピュータ支援ナビゲーションシステムにおいて前記第１の基準構造及び第２の基準構造の位置を記録するステップと、
前記第２の基準構造に対するインプラント幹部の相対的位置を決定するステップと、
を含む、方法。
【請求項１８】
前記第２の基準構造に対する前記インプラント幹部の相対的位置を決定する前記ステップの後、前記インプラント幹部から前記記録装置を外すステップをさらに含む、請求項１７に記載の方法。
【請求項１９】
前記インプラントが前記幹部軸線に対して所定の角度に延びる突起を含み、前記方法が、予め定められた相対的位置で前記記録装置を前記突起と係合させ、前記コンピュータ支援ナビゲーションシステムにおいて前記第１の基準構造と第２の基準構造の相対的位置を記録するステップと、前記幹部軸線に対する前記突起の回転方向位置を決定するステップとをさらに含む、請求項１８に記載の方法。
【請求項２０】
複数のインプラントが提供され、前記インプラントの各々が、幹部軸線を規定する異なるサイズのテーパ状幹部を有し、前記幹部の各々が遠位端部及び近位端部を有し、前記遠位端部は前記近位端部より断面積が小さく、前記操作器具が前記インプラントの各々の予め定められた場所に取り付け可能であり、該方法は、前記インプラントの中から、前記操作器具に取り付け且つ前記記録装置と係合させるための一つを選択するステップをさらに含み、前記第２の構造に対する前記インプラント幹部の相対的位置を決定する前記ステップが前記第１の基準構造と前記第２の基準構造との間の距離に基づいて前記選択されたインプラントのサイズを決定するステップをさらに含む、請求項１７に記載の方法。
【請求項２１】
前記記録装置が少なくとも一つの目盛り付き空間を形成し、前記記録装置を前記インプラントと係合させる前記ステップが、前記目盛り付き空間に前記テーパ状幹部を挿入するステップを含む、請求項１７に記載の方法。
【請求項２２】
コンピュータ支援ナビゲーションシステムに使用するための組立体であって、
整形外科インプラントと、
前記整形外科インプラントに取り外し可能に取り付けられる少なくとも一つのワイヤループと、
前記ワイヤループと前記コンピュータ支援ナビゲーションシステムとの間に機能上結合され、前記ワイヤループによって感知される磁場を示す信号を前記ワイヤループから前記ナビゲーションシステムに通信する通信手段と、
を備える組立体。
【請求項２３】
前記通信手段が前記ワイヤループに機能上結合された通信ケーブルを含む、請求項２２に記載の組立体。
【請求項２４】
前記少なくとも一つのワイヤループが少なくとも二つのワイヤループを含み、前記ワイヤループの各々がループ軸線を規定し、前記ワイヤループが相対的に固定された位置に配置され、前記ループ軸線が互いに直角を成す向きに配置される、請求項２２に記載の組立体。
【請求項２５】
前記少なくとも一つのワイヤループが前記インプラントに取り外し可能に取り付けられる外科器具に取り付けられる、請求項２２に記載の組立体。
【発明の詳細な説明】
【技術分野】
【０００１】
本発明は、記録装置に関し、より詳細には、コンピュータ支援手術ナビゲーションシステムにおいて整形外科インプラントの位置を記録するための装置に関する。
【背景技術】
【０００２】
外科器具及びその他の物体の位置決め制御は、多くの外科処置において非常に重要であり、外科処置の際に物体を適切に位置決めするための様々な方法がこれまでに開発されている。このような方法には、機械的ガイド及びコンピュータ支援ナビゲーションシステムの両方の使用が含まれる。コンピュータ支援ナビゲーション技術は、一般に、関連する解剖学的構造の術前画像を入手するステップと、解剖学的構造の三次元モデルを表示するデータベースを生成するステップとを含む。外科処置に使用される関連器具及びその他の物体は、一般に、既知の固定的形状を有し、これも術前に定義される。外科処置の際、使用される物体の位置は解剖学的座標系を用いて記録され、物体及び解剖学的構造の相対的位置を示す視覚的表示がリアルタイム（実時間）で演算により求められ、外科医のために表示されて、外科医が関連する解剖学的構造に対して物体を適正に位置決めし操作するのを助ける。
【０００３】
このような画像案内処置においては、物体を位置決めし制御するために、ロボットアームを使用するか、外科医が手動で物体を位置決めし、物体を位置決めするために物体と解剖学的構造の相対的位置の表示を使用することができる。当該技術分野において公知となっている様々なコンピュータ支援ナビゲーションシステムの例は、特許文献１〜８に記載されており、これら特許文献の各々の開示内容は本願と一体のものとして参照される。
【０００４】
【特許文献１】米国特許第５，６８２，８８６号明細書
【特許文献２】米国特許第５，９２１，９９２号明細書
【特許文献３】米国特許第６，０９６，０５０号明細書
【特許文献４】米国特許第６，３４８，０５８号明細書
【特許文献５】米国特許第６，４３４，５０７号明細書
【特許文献６】米国特許第６，４５０，９７８号明細書
【特許文献７】米国特許第６，４９０，４６７号明細書
【特許文献８】米国特許第６，４９１，６９９号明細書
【発明の開示】
【発明が解決しようとする課題】
【０００５】
本発明は、異なるサイズの複数の整形外科インプラントと係合可能な記録装置を提供する。
【課題を解決するための手段】
【０００６】
記録装置は、予め定められた相対的位置で複数のインプラントの各々と係合可能である。第１の基準構造は記録装置に配置され、第２の基準構造はインプラントに取り外し可能に取り付けられる。第１の基準構造及び第２の基準構造の各々は、コンピュータ支援ナビゲーションシステムにおいて記録可能な少なくとも１つの基準要素を有し、これによって、第２の基準構造に対するインプラントの相対的な位置及び／又は向きを決定又は校正することができる。第２の基準構造に対するインプラントの相対的な位置を校正した後、記録装置はインプラントから外される。第２の基準構造は、コンピュータ支援ナビゲーションシステムを使って移植位置にインプラントを配置するために使用される操作器具に取り付けることができる。
【０００７】
本発明は、その一つの態様において、コンピュータ支援ナビゲーションシステムにおいて整形外科インプラントを記録するためのシステムからなる。このシステムは、異なるサイズの複数のインプラントと、予め定められた第１の相対的位置で複数のインプラントの各々と係合可能な記録装置とを含む。また、このシステムは第１の基準構造及び第２の基準構造を含む。基準構造の各々は、コンピュータ支援ナビゲーションシステムにおいて記録可能な少なくとも一つの基準要素を有する。第１の基準構造は、記録装置の予め定められた場所に配置され、第２の基準構造は、複数のインプラントの各々に取り外し可能に取り付けられる。第１の基準構造と第２の基準構造の相対的位置は、記録装置が予め定められた第１の相対的位置で複数のインプラントのうちの選択された一つと係合し且つ第２の基準構造がインプラントのうちの選択された一つに取り付けられるとき、複数のインプラントの各々毎に異なっている。
【０００８】
第１の基準構造及び第２の基準構造は、非直線的に配置された少なくとも三つの基準要素を含むことができる。第１の基準構造及び第２の基準構造の基準要素は、区別することができる第１のパターン及び第２のパターンを形成することができる。第２の基準構造は、また、複数のインプラントの各々に取り外し可能に取り付けられ得る取付部を有した操作器具に取り付けることもできる。
【０００９】
インプラントは、近位大腿骨に挿入するのに適するように構成された複数の股関節ステムとすることができる。股関節ステムは、幹部及び頸部を形成する概略Ｌ字形状の形態を有し得る。幹部は遠位端部及び近位端部を有する。股関節ステムの各々は、操作器具に取り付け可能な近位端部の近傍に配置された取り付け接触面を含む。記録装置は、複数の股関節ステムのうちの第１の股関節ステム及び第２の股関節ステムの遠位端部を受容するための少なくとも一つの目盛り付け空間を含む。第１の股関節ステム及び第２の股関節ステムは、少なくとも一つの目盛り付け空間内において記録装置と係合し、第１の股関節ステム及び第２の股関節ステムの係合部は、それぞれ、第１の基準構造から等しくない第１の距離及び第２の距離に配置される。股関節ステムの各々は、また、頸部に設けられた突起を含み、突起の各々は共通の形態を有する。基準部材は、予め定められた第２の相対的位置で突起と係合するための係合部を含むことができる。
【００１０】
本発明は、別の態様において、コンピュータ支援ナビゲーションシステムにおいて整形外科インプラントを記録するためのシステムからなり、該外科インプラントが骨に移植するのに適するように構成されている。このシステムは、各々が幹部軸線を規定する細長い幹部を有した異なるサイズの複数の整形外科インプラントと、複数のインプラントの各々の幹部軸線に沿った予め定められた第１の相対的位置で複数のインプラントの各々の幹部と係合可能な記録装置とを含む。コンピュータ支援ナビゲーションシステムにおいて記録可能な少なくとも一つの基準要素を有した第１の基準構造は、記録装置の予め決められた場所に設けられる。記録装置は、予め定められた第１の相対的位置で幹部と係合するための少なくとも一つの目盛り付き係合部を含むことができる。
【００１１】
本発明は、さらに別の態様において、コンピュータ支援ナビゲーションシステムにおいて整形外科インプラントを記録する方法を含む。この方法は、幹部軸線を規定する幹部を有したインプラントを提供するステップを含む。幹部は遠位端部及び近位端部を有し、遠位端部は近位端部より断面積が小さい。コンピュータ支援ナビゲーションシステムにおいて記録可能な少なくとも一つの基準要素を有する第１の基準構造を含む記録装置がさらに提供される。記録装置は予め定められた軸線方向の場所で幹部と係合することができる。この方法は、操作器具をインプラントに取り付けるステップを含む。操作器具には第２の基準構造が取り付けられる。第２の基準構造は、コンピュータ支援ナビゲーションシステムにおいて記録可能な少なくとも一つの基準要素を含む。この方法は、また、インプラントを操作器具に取り付け且つ予め定められた軸線方向の場所で記録装置をインプラントと係合させるステップと、コンピュータ支援ナビゲーションシステムにおいて第１の基準構造及び第２の基準構造の位置を記録するステップと、第２の基準構造に対するインプラント幹部の相対的位置を決定するステップとを含む。
【００１２】
この方法は、また、第２の基準構造に対するインプラント幹部の相対的位置を決定するステップの後、インプラント幹部から記録装置を外すステップを含むこともできる。インプラントは、さらに、幹部軸線に対して所定の角度に延びる突起を含むことができ、この方法は、さらに、予め定められた相対的位置で基準装置を突起と係合させるステップと、コンピュータ支援ナビゲーションシステムにおいて第１の基準構造及び第２の基準構造の相対的位置を記録するステップと、幹部軸線に対する突起の回転方向位置を決定するステップとを含む。
【００１３】
この方法の代替実施形態においては、各々が幹部軸線を規定する異なるサイズの幹部を有した複数のインプラントが提供され得る。幹部はテーパ状とされ得る。各幹部は遠位端部及び近位端部を有し、遠位端部は近位端部より断面積が小さい。操作器具は、予め定められた場所でインプラントの各々に取り付け可能であり、この方法は、インプラントの中から、操作器具に取り付け且つ記録装置と係合するための一つを選択するステップも含む。第２の構造に対するインプラント幹部の相対的位置を決定するステップは、さらに、第１の基準構造と第２の基準構造との間の距離に基づいて前記選択されたインプラントのサイズを決定するステップを含む。記録装置は、少なくとも一つの目盛り付き空間を形成することができ、記録装置をインプラントと係合させるステップは、目盛り付き空間にテーパ状幹部を挿入するステップを含む。
【００１４】
本発明は、さらに別の態様において、コンピュータ支援ナビゲーションシステムに使用するための組立体を含む。この組立体は、整形外科インプラントと、前記整形外科インプラントに取り外し可能に取り付けられた少なくとも一つのワイヤループと、ワイヤループとコンピュータ支援ナビゲーションシステムとの間に機能上結合され、ワイヤループによって感知された磁場を示す信号をワイヤループからナビゲーションシステムに通信する通信手段とを含む。
【００１５】
通信手段は、ワイヤループに機能上結合された通信ケーブルとすることができる。前記少なくとも一つのワイヤループは、ワイヤループの各々がループ軸線を規定し、ワイヤループが相対的に固定された位置に配置され、ループ軸線が互いに直角を成す向きに配置された、少なくとも二つのワイヤループとすることができる。ワイヤループは、インプラントに取り付けられる外科器具に取り付けることができる。
【発明を実施するための最良の形態】
【００１６】
本発明の上述の及びその他の特徴及び目的、並びに、これを達成する方法は、添付図面に関してなされた本発明の実施形態の以下の説明を参照することによって、より明らかになり、発明自体もそれによってより良く理解されるであろう。
【００１７】
対応する参照番号は、図面全体を通じて、対応する部品を指す。本願に提示される具体例は、本発明の一つの形態としての実施形態を示しているが、以下に開示される実施形態は、網羅的なものとすること又は本発明の範囲を開示される形態に限定すると解釈されることを意図していない。
【００１８】
本発明による記録装置２０が図１に示されている。記録装置２０は、グリップ又はハンドル部２２と、本体部２４とを含んでいる。三つの異なるサイズのテーパ状スロット２６、２８、３０が本体部２４に形成されている。スロットの各々は、二つの対向する側面２６ａ、２６ｂ；２８ａ、２８ｂ；３０ａ、３０ｂと、底面２６ｃ、２８ｃ、３０ｃとによって規定され、複合テーパを規定する。本体２４の概略平らな上面３２には、四つの基準要素３４が取り付けられている。図に示される実施形態では、基準要素３４は、以下でより詳しく説明されているように、コンピュータ支援ナビゲーションシステムにおいて記録可能な反射球体である。図１に示されているように、本体部２４は、複数の固定された位置に基準要素３４が取り付けられている一体的な基準構造を形成する。基準要素３４は、本体部２４から突出している柱３６に取り付けられる。
【００１９】
ハンドル部２２と反対側にある本体部２４の遠位端部３８に、三つの凹部４０、４２、４４がある。凹部４０は、股関節インプラントの頸部ステムにぴったり合うように構成されている。凹部４２は円錐形状であり、凹部４４は異なる直径の二つの同心円筒形部分を有する。図に示されている記録装置は、ステンレス鋼材から形成されているが、アルミニウム又はプラスチック材料のような他の適切な材料を使用することもできる。
【００２０】
図２から分かるように、記録装置２０は、人工股関節の大腿骨コンポーネントすなわち股関節ステム４６と係合され得る。本発明に使用できる股関節ステムの例は、米国特許第５，４８０，４５３号及び５，３２６，３７６号明細書において開示されており、両方とも本願と一体のものして参照される。股関節ステム４６は、概略Ｌ字形状であり、幹部軸線４９を規定する細長い幹部４８と頸部軸線５１を規定する頸部５０を含む。頸部５０には突起５２が設けられており、臼蓋カップに配置するために、補綴球が突起５２に取り付けられている。典型的には、股関節ステム４６は様々なサイズで製造され、股関節ステム４６の全体的形態はほぼ一定しており比例的であるが、寸法は、サイズの異なる患者に合わせるために所定の範囲のサイズを提供するように変化している。
【００２１】
図２及び図３は、第１のインプラント（すなわち股関節ステム４６）及び一点鎖線で示されている第２のインプラント４６ａを示している。第１の股関節ステム４６及び第２の股関節ステム４６ａは、共通の設計であるが、サイズが異なり、第２の股関節ステム４６ａは、股関節ステム４６より僅かに小さい。図示されている実施形態において、突起５２、５２ａは、股関節ステムと大腿骨球との間に共通の取付接触面を提供するように同一のサイズ及び形状である。さらに、幹部４８は先端に向かってテーパ状に細くなっており、遠位端部５４はステム４８の近位端部５６より断面積が小さい。図示されている幹部は、二つのテーパ角を規定する複合テーパを有する。
【００２２】
股関節ステム４６は、各々、股関節ステムの近位縁部上で幹部４８の近位端部５６付近に配置される取付接触面を含む。股関節ステムは、典型的には、しばしばステム挿入具と呼ばれる操作器具に股関節ステムを取り外し可能に取り付けるために使用されるこの種の取付接触面を含む。このような接触面は様々なものが公知となっている。例えば、股関節ステム４６の取付接触面５８は螺刻されたねじ穴であり、操作器具又はステム挿入具６０はねじ穴５８とねじ式に係合する螺刻されたシャフト６２を有し、当該技術分野で公知の方法で股関節ステム４６を操作器具６０に固定する。ステム挿入具６０を股関節ステム４６に取り付けた後、股関節ステム４６を直接操作する代わりに、ステム挿入具６０を使って股関節ステム４６を操作する。ステム挿入具６０は、股関節ステム４６を大腿骨の最終移植位置に位置決めした後、股関節ステム４６から外される。
【００２３】
固定された相対的位置に基準要素３４が取り付けられている剛性アルミニウム基準構造６４がステム挿入具６０に固定される。基準構造６４をステム挿入具６０に取り外し可能に取り付けるために蟻継手６６が使用されている。螺刻された留め具６８により、ステム挿入具６０上の所望の位置に基準構造６４をしっかりと固定する。代替実施形態においては、基準構造６４は永久的にステム挿入具６０に取り付けられるか、またはこれと一体的に形成されることができる。
【００２４】
基準構造６４が予め定められた位置に取り付けられる基礎の操作器具構造体は、従来の操作器具でよい。図示されている実施形態は操作器具６０をインプラント４６に取り付けるために螺刻されたシャフトを利用しているが、操作器具をインプラントに取り付けるために他の取付形態を使用することもできる。例えば、インプラントが滑らかな壁の穴を有し、操作器具がこの穴内に解放可能に取り付けられ得る拡張可能なコレットを有してもよい。さらに、本発明は、代替的なインプラント、例えば人工膝関節に使用することができ、操作器具を、このようなインプラントに使用できるように構成することができる。
【００２５】
基準構造を取り付けることができる本発明に使用できる操作器具の例は、２００２年７月１２日に出願された発明の名称「整形外科インプラントを把持するための器具」の米国特許出願第１０／１９４，８７４号においてＨｏａｇらによって、並びに、２００２年７月１２日に出願された発明の名称「整形外科インプラントを解放可能に把持するための器具」の米国特許出願第１０／１９４，７４４号においてＨｏａｇらによって、記載されている。両方の出願の開示内容は、本願と一体のものとして参照される。
【００２６】
ステム挿入具６０は、ステム操作機能に加えて、これに基準構造６４を取り付けることによって、ステム挿入具６０を股関節ステム４６から外すまで概ね固定された相対的位置で股関節ステム４６に基準構造６４を取り外し可能に取り付けるようにも機能する。以下で説明するように、ステム挿入具６０を股関節ステム４６に取り付けて基準構造６４の位置及び向きを感知することによってコンピュータ支援ナビゲーションシステムが股関節ステム４６を追跡できるようにした後、記録ブロック２０を使用して、基準構造６４に対する股関節ステム４６の相対的位置を決定することができる。
【００２７】
本発明の他の実施形態においては、１又は２以上の基準要素を有する基準構造が、操作器具を介在させることに代えて、インプラントに直接的且つ取り外し可能に取り付けられ得る。このように直接的に取り付けられる基準構造は、インプラント追跡は行うが、操作器具６０によって提供される操作機能は提供しない。
【００２８】
股関節ステム４６の位置は、コンピュータ支援ナビゲーションシステムが股関節ステムの位置及び方位を正確に追跡するために、基準構造６４の位置に対して校正されていなくてはならない。このような校正を行うための記録装置２０の使用法を次に説明する。
【００２９】
記録装置２０は三つのテーパ状スロット２６、２８、３０を有し、スロットの対向する側面、例えば２８ａ、２８ｂは、その間に目盛り付き空間を形成している。スロット２６、２８、３０によって規定された空間は、記録装置２０の使用対象である異なるサイズの股関節ステム４６の各々と記録装置２０を一意に係合させるように構成されている。
【００３０】
図示されている実施形態において、記録装置２０は、約１０の異なる公称サイズを有する一連の股関節ステムと共に使用されるように構成されている。スロット２６、２８、３０の各々は、三つ又は四つの異なる公称サイズに使用されるように構成される。すなわち、スロット２６は最小サイズのものを受容し、スロット２８は中間サイズのものを受容し、スロット３０は最大サイズのものを受容する。図４から最もよく分かるように、幹部４８は、それぞれ矢印２７、２９、３１によって示されている方向にスロット２６、２８、３０に挿入される。
【００３１】
股関節ステム４６の製造に固有の寸法公差により、結果として、特定の公称サイズのステム４６が狭い域内でその関連付けられたスロットと係合する。例えば、図４において参照番号９０によって示されている一群の線は、インプラント４６ａが股関節ステム４６ａの製造公差に基づきスロット２８と係合する位置の二つの極端点及び中間点を表している。この係合位置は、股関節ステム４６ａと操作器具６０との間の係合接触面の位置を示す範囲９１に換算される。同様に、線９２は、インプラント４６が面２８ａ及び２８ｂと係合する位置の二つの極端点及び中間点を示し、範囲９３は股関節ステム４６と操作器具６０との間の係合接触面の位置を示している。これは図２及び図３を参照しても分かり、図２及び図３は、線９２（線９２は図４にのみ示されている）で表されている予め定められた相対的位置で係合するインプラント４６及び線９０（線９０は図４にのみ示されている）で表されている予め定められた相対的位置で係合する小さい方のインプラント４６ａの輪郭を示している。
【００３２】
スロット２６、２８、３０は、インプラントと、様々なサイズのインプラントの操作器具との間の係合接触面の範囲９１、９３が重ならないように構成されている。各インプラントに係合するために同じ器具６０が使用されるので、インプラント４６のそれぞれの公称サイズが記録装置２０に対する基準構造６４の相対的な位置の範囲を規定する。この範囲は各サイズのインプラントに独自のものであり、他のいずれの公称サイズのインプラント４６の範囲とも重ならない。これが図２に例示されている。図２は、インプラント４６が記録装置２０と係合したときの相対的位置を表すために操作器具６０に配設された基準要素３４を実線で示し、これより小さい公称サイズのインプラント４６ａが記録装置２０と係合したときの相対的位置を表すために基準要素３４を点線で示している。異なる公称サイズのインプラント４６に対する基準構造６４の位置の範囲に重複がないように記録装置２０を構成することによって、ナビゲーションシステム８０は、股関節ステムを記録装置２０の適したスロット２６、２８、３０に挿入した後、インプラントの公称サイズを決定することができる。様々な公称サイズのインプラント４６の寸法は、記録装置２０をインプラント４６と係合させる前にナビゲーションシステム８０に入力される。
【００３３】
図示されている実施形態はテーパ状スロットを利用しているが、目盛り付きの代替係合部を本発明に採用することもできる。例えば、代替実施形態においては、整形外科インプラントはその間に空間を形成する面を含み、記録装置は、前記空間内に嵌合してインプラントに対して予め定められた相対的位置でインプラントと係合する目盛り付き突起を含んでもよい。
【００３４】
図２及び図３から最も良く分かるように、ステム挿入具６０の軸線は取り付けられる股関節ステム４６の幹部軸線４９と同軸に配置されている。このようにして、幹部４８がスロット２６、２８、３０のうちの一つに係合可能に挿入されると、校正パドル２０及びステム挿入具６０上にそれぞれ設けられた基準構造２４、６４の相対的位置から、コンピュータ支援ナビゲーションシステム８０の処理装置（プロセッサ）は、股関節ステム４６の公称サイズ、幹部軸線４９の向き、幹部軸線４９によって規定される線に沿った股関節ステムの位置、すなわち股関節ステム４６の軸線方向位置を演算することができる。しかしながら、処理装置は、幹部４８がスロット２６、２８、３０のうちの一つに挿入されたときに幹部軸線４９に対する頸部５０の相対的回転配向又は角度方向については演算しない。図３に示されているように、記録装置２０の図示されている実施形態は、基準要素３４が上面３２から突出するのと同じ方向に股関節ステム４６の頸部５０が突出するように構成されている。
【００３５】
頸部５０の角度方向を決定するために、幹部４８はスロット２８から取り外され、突起５２を凹部４０に挿入することによって突起５２が装置２０と係合させられる。凹部４０は、僅かにテーパ状に傾斜した側壁を有し、これら側壁がインプラント４６上に設けられた突起５２の共通形態のテーパ状傾斜と一致する。図４に示されているように操作器具６０に取り付けられたステム４６の突起５２を凹部４０と面一になるように係合させることによって、ナビゲーションシステム８０により、本体２４と基準構造６４の相対的位置から、軸線４９を中心とした基準構造６４に対する突起５２及び頸部５０の相対的回転位置が決定され得る。
【００３６】
光学的追跡システムと一緒に使用されるとき、記録装置２０及び基準構造６４は、少なくとも三つの非直線的に配置された基準点が、それらの設けられている基準構造の位置及び向きを規定することを要求する。記録装置２０及び基準構造６４に配設されている基準要素によって規定されるパターンは異なっていてもよく、これによって、ナビゲーションシステム８０は、各セットの基準要素と関連付けて物体をより簡単に識別し特定することができる。
【００３７】
記録装置２０は、コンピュータ支援ナビゲーションシステムにおいて、股関節ステム４６に加えて他の物体の位置を調整するために使用することができる。例えば、図５は、本体２４に取り付けられている基準要素３４によって形成される基準構造に対して既知の向きを有する概略平坦な上面３２に係合して配置された臼蓋カップ９４を示している。臼蓋カップ９４に係合するのに適した操作器具９６には基準構造６４が取り付けられ、記録装置２０は操作器具９６に取り付けられた基準構造６４の校正時に使用され得る。操作器具は、それ以外は、当該技術分野において公知となっているように、股臼カップの移植の際にこれを操作するために使われる従来の器具である。操作器具９６が股臼カップ９４に取り付けられると、上面３２からの基準構造６４の距離は股臼カップ９４の公称サイズによって決まる。したがって、臼蓋カップを移植する前に正しいサイズの臼蓋カップ９４が器具９６に取り付けられていることを確認するために、上面３２に対する臼蓋カップ９４の記録を使用することができる。
【００３８】
同様に、凹部４２及び４４は、本体２４に取り付けられた基準要素３４に対する相対的位置及び向きが既知となっており、コンピュータ支援ナビゲーションシステム内で各種外科器具又は物体の座標を校正するために使用され得る。例えば、デジタルプローブ、リーマ、錐又はその他の物体の先端を凹部４２、４４のうちの選択された一つと係合させることができる。
【００３９】
股関節ステム４６の移植に話を戻すと、大腿骨への股関節ステムの適正な位置決めは、患者の適正な脚の長さの回復という点で非常に重要である。当該技術分野において公知となっているように、解剖学的構造のモデルを表すデータベースを生成するために、解剖学的構造の画像から獲得されるデータを用いて、対象例えば大腿骨の解剖学的構造に関する関連寸法データを決定することができる。解剖学的構造のモデルは、解剖学的構造の一連の二次元画像を獲得することによって作成される三次元モデルとすることができる。あるいはまた、解剖学的構造のモデルは、既知の空間関係を有する１組の二次元画像又は解剖学的構造の三次元形態に関する情報を伝えるために使用され得るその他のデータ構造とすることができる。解剖学的構造のモデルは、次に、術前計画のため及び術中ナビゲーションのために、様々な視点からの解剖学的構造の表示を生成するために使用され得る。解剖学的構造のこのようなモデルを生成するために採用され得る様々な技法は、当該技術分野において周知となっており、コンピュータ断層撮影（ＣＴ）、磁気共鳴映像法（ＭＲＩ）、ポジトロン放射形断層撮影（ＰＥＴ）、超音波走査及びＸ線透視映像化法を含む。
【００４０】
このような映像化技術によって得られる解剖学的構造のモデルは、実際の解剖学的構造に対するインプラントの相対的な位置及び向きの決定及び表示を容易にすることによって、インプラントの術中案内のために使用され得る。例えば、解剖学的構造のモデルが既知の空間関係を有する１組の二次元画像である場合、複数のこのような画像が外科処置の際に同時に表示され得る。画像内にインプラントの位置を表示し、様々な視点から得られる画像を、例えばｘ及びｙ座標軸に沿ったインプラントの動きの表示を容易にする画像及びｚ軸に沿ったインプラントの動きの表示を容易にする別の画像を、表示することによって、個々の画像は、まとまって、解剖学的構造に対するインプラントの相対的な動きを三次元で表すことができる。
【００４１】
参考のために言えば、関心対象となる実際の解剖学的構造によって規定される座標系は、本出願において、解剖学的座標系と呼称され、解剖学的構造のモデルによって規定される座標系は画像座標系と呼称される。画像案内処置において使用されるインプラントの固定されたサイズ及び形状に関するデータも、異なる公称サイズのインプラント又はその関連部分の各々の三次元モデルを得るために、術前に決定される。
【００４２】
骨格要素のような剛性の解剖学的構造はこのような画像案内外科処置に非常に適し、個々の骨格要素は別個の座標系を規定するために使用され得る。異なる剛性構造、例えば骨格要素は、相対的運動の対象となることがある。例えば、患者の大腿骨と寛骨臼は、外科的処置の際に相対的に動かされる可能性があり、異なる骨格要素毎に別個の三次元モデル及び座標系が作成され得る。例えば、股関節置換術の際には、大腿骨を切除する間は、第１の座標系を規定する大腿骨の三次元モデルが使用され、寛骨臼の前処理の間は、骨盤の三次元モデルによって規定される別個の座標系が利用され得る。
【００４３】
外科的処置を行うためにコンピュータ支援ナビゲーション（コンピュータ実行画像案内とも呼称される）を使用するとき、解剖学的座標系と共に画像座標系が記録され、インプラント又はその他の追跡対象の物体の位置も画像座標系内に記録される。実際の解剖学的構造及びインプラントの両方が記録された後、既に取得されていた解剖学的構造及びインプラントの三次元モデルに基づいて解剖学的構造及びインプラントの画像を一緒に表示することによって、インプラントの相対的な位置及び向きを外科医に知らせることができる。
【００４４】
物体と実際の解剖学的構造の相対的位置の表示を容易にするために画像座標系内における外科器具又は整形外科インプラントのような他の物体の記録又は位置特定と一緒に実際の解剖学的構造を表す三次元モデルを用いて実際の解剖学的構造の記録を提供するコンピュータ実行画像案内システムは、当該技術分野において公知である。画像座標系を用いて解剖学的構造を記録する公知の方法は、１又は２以上の走査技術によって認識可能である移植された基準マーカーの使用を含む。あるいはまた、インプラントに接触して又はこれに対して既知の向きにデジタルプローブ又は同様の装置を物理的に位置決めすることによってインプラントの位置を特定することができる。基準インプラントを使用する代わりに、解剖学的標識構造部を整列させることにより二つの座標系を記録することも可能である。米国特許第６，２３６，８７５号及び同第６，１６７，１４５号明細書は、両方とも、複数の剛性体を記録しその相対的位置を表示する方法を記載しており、両米国特許明細書の開示内容は、本願と一体のものとして参照される。
【００４５】
外科器具又は整形外科インプラントのようなその他の物体の記録又は位置特定、及び画像座標系にも記録されている解剖学的座標系に関する物体の運動の追跡を可能にする様々な技法を採用する追跡装置も公知なっている。例えば、物体に対して既知の向きで取り付けられた反射性標的又は位置特定エミッタによって反射又は放射される光を検出する光学的追跡システムは、物体の位置を決定し、解剖学的構造の三次元モデルを表す画像座標系内における物体の位置を記録するためのものとして公知である。例えば、このような追跡システムは、各々赤外光に反応する別個の電荷結合要素（ＣＣＤ）に焦点を結ぶ１又は２以上のレンズを有するセンサユニットの形をとることができる。このセンサユニットは、物体に対して取り付けられた３以上の非直線的に配置された発光ダイオード（ＬＥＤ）によって発せられる赤外光を検出する。処理装置（プロセッサ）は、センサユニットによって捕捉された画像を解析し、物体の位置及び向きを演算する。画像座標系内に感知ユニットの位置を記録することによって、同様に画像座標系を用いて記録されている解剖学的構造に対する物体の相対的な位置を決定し、物体が解剖学的構造に対して移動させられたときこれを追跡することができる。
【００４６】
代替的な位置特定システムは、無線周波数の電磁信号を発する又は可視光線を発する位置特定エミッタを採用することができる。本発明に使用できる他のタイプの位置特定システムは、Ｘ線不透過の基準要素又はその他の識別要素（他と区別化させることができる要素）を採用する。また、物体の位置を記録するために物体の予め定められた位置で物体と物理的に接触させる物理的なデジタルプローブを採用することも可能である。
【００４７】
開示されている実施形態において、位置特定システムは光源を含み、基準要素３４が光を反射する。さらに、位置特定システムは反射光を検出し、個々の基準要素３４の位置を公知の方法で演算する。基準要素３４は、カナダのオンタリオ州ウォータールー、１０３ Ｒａｎｄａｌｌ Ｄｒ．，Ｎ２Ｖ１Ｃ５に営業所を有するＮｏｒｔｈｅｒｎ  Ｄｉｇｉｔａｌ社から入手できる。Ｎｏｒｔｈｅｒｎ  Ｄｉｇｉｔａｌ社はＯｐｔｏｔｒａｋ（登録商標）及びＰｏｌａｒｉｓ（登録商標）のブランド名で本発明に使用できる画像案内システムを供給している。本発明は、また、上記で説明したような又は当該技術分野で公知の他のコンピュータ支援ナビゲーションシステムに使用することもできる。例えば、ミネソタ州ミネアポリスに本社を有するＭｅｄｔｒｏｎｉｃ社は、本発明に使用するのに適するように構成され得るＦｌｕｏｒｏＮａｖ（商標）Ｖｉｒｔｕａｌ  Ｆｌｕｏｒｏｓｃｏｐｙ  ＳｙｓｔｅｍのようなＳｔｅａｌｔｈＳｔａｔｉｏｎ（登録商標）の商標で様々なコンピュータ支援手術ナビゲーションシステムを製造販売している。
【００４８】
図７は、ステム挿入具６０及び記録装置２０上に配設された基準要素３４の位置を検出するための位置センサ８２と、処理ユニット８４と、表示画面８６と、入力装置８８とを含むナビゲーションシステム８０を略図的に示している。
【００４９】
本発明の代替実施形態は、追跡される物体の位置及び向きを決定するために、光学的追跡に代えて磁場を利用するコンピュータ支援ナビゲーションシステムと共に採用することができる。本発明と共に使用するのに適するように構成され得る磁場と共に使用される様々な基準要素が当該技術分野において公知となっている。例えば、物体の位置及び向きを決定するために磁場を使用する公知のシステムが、米国特許第５，９１３，８２０号、同第６，３８１，４８５号、同第６，４０２，７６２号、同第６，４７４，３４１号、同第６，４９３，５７３号及び同第６，４９９，４８８号明細書に記載されており、これら特許文献の開示内容は全て本願と一体のものとして参照される。
【００５０】
図６は、ワイヤループの形態をとる基準要素７０を略図で示している。この場合、導線コイル７２は、ポリマ製ボビン７４の周りに巻かれ且つポリマ製ハウジング７６内に配設されており、磁場ナビゲーションシステムにおいて使用され得る。ワイヤループ７２の軸線は、ワイヤコイル７２が巻かれるボビン７４の円筒形シャフトによって規定されている。ハウジング７６は一方の端部から突出する螺刻されたシャフト７８を含み、ハウジング７６及びその中に設けられたワイヤループ７２の取り付けを可能にさせている。ワイヤループ７２は、ケーブル７３を通じてコンピュータ支援ナビゲーションシステムの処理装置（プロセッサ）と通信する。あるいはまた、ワイヤループ７２と処理装置との間に無線信号を使用する無線通信を採用することもできる。２以上のこのようなループ７２を相互に直角を成す向きに固定すること、例えば各ループがデカルト座標系の三つの軸のうちの一つに平行に位置する軸線を有することが、有利である（図６において、ワイヤループ７２は、Ｚ軸に平行に延びる軸線を有するものとして示されている）。
【００５１】
有効エリアに既知の特性を有する磁場を生成し、互いに直角を成すワイヤループ７２を用いて磁場を感知することによって、ループ７２によって規定される基準要素及び外科器具又は整形外科インプラントのような基準要素に取り付けられた剛性物体の位置及び向きを演算することができる。このように相互に直角を成す方向を向く磁場センサの位置及び向きの決定は当該技術分野において公知である。単一のワイヤループ７２を用いて磁場センサを構成し、複数の位置から磁場を生成することによってその位置及び向きを決定することも公知になっている。
【００５２】
図示されている実施形態において、ワイヤループ７２は円筒形コイルであるが、他のループ形状も採用できる。ワイヤループ７２は、様々な方法でステム挿入具６０のような操作器具に取り付けられ得る。例えば、ワイヤループを特別に機械加工されたポケットに配置して、機械的手段、接着剤例えば糊又はエポキシ、またはその他の適切な手段によって、ワイヤループを所定の位置に保持することができる。また、ハウジング７６又は中にワイヤループインサートが成形されているプラスチックねじのようなループを収容する固定具によって器具又はインプラントに取り付けることもできる。このような固定具は、既存の器具へのワイヤループの取り付けを容易にする。ナビゲーションの対象となる器具は、コイルをこれに一体化して製造することもでき、また、ワイヤループを巻きつけるための取付台を有することもできる。このような器具は、金属、非鉄金属、プラスチック及び複合材料など様々な材料を使って製造され得る。このような器具及び固定具の材料の選択によっては、使い切りの使い捨て可能な器具又は固定具の提供が容易になる。
【００５３】
人工股関節を移植しコンピュータ支援ナビゲーションシステムを利用する外科処置において使用され得るその他の外科器具については、本願と同日に出願される代理人整理番号ＺＩＭ０１６７の発明の名称「解剖学的構造を標識するのに有益な手術ナビゲーション機器」の米国特許出願を基礎とした出願においてＭｃＧｉｎｌｅｙらによって、また本願と同日に出願される代理人整理番号ＺＩＭ０１６５の発明の名称「回転外科器具用の案内システム」の米国特許出願を基礎とした出願においてＭｃＧｉｎｌｅｙらによって記載されている。上記両方の出願の開示内容は、本願と一体のものとして参照される。
【００５４】
本発明は、例示される構造を有するものとして説明されているが、本発明は、本開示の精神及び範囲内でさらに改変され得る。したがって、本願は、本発明の概括的な原理を使用する本発明の変形、使用又は改作を網羅することを意図している。
【図面の簡単な説明】
【００５５】
【図１】本発明による記録装置の斜視図である。
【図２】股関節ステムが記録スロットに挿入されている状態の記録装置の上面図である。
【図３】股関節ステムが挿入されているスロットに沿った図２の断面図である。
【図４】股関節ステムの頸部が記録開口に挿入されている記録装置の上面図である。
【図５】臼蓋カップと係合した記録装置の側面図である。
【図６】基準要素の代替実施形態の組立分解図である。
【図７】コンピュータ支援ナビゲーションシステム及び股関節ステムと係合した記録装置の略図である。
【符号の説明】
【００５６】
２０…記録装置
３４…基準要素
４６…股関節ステム
４８…幹部
４９…幹部軸線
５２…突起
６４…基準構造
【図１】
2004237101.tif 000003
【図２】
2004237101.tif 000004
【図３】
2004237101.tif 000005
【図４】
2004237101.tif 000006
【図５】
2004237101.tif 000007
【図６】
2004237101.tif 000008
【図７】
2004237101.tif 000009